(57)【要約】【課題】複数のガラス板積層体を幅方向に並列に配置した梱包する場合であっても、各ガラス板積層体に含まれるガラス板の幅方向のズレを確実に防止し得るガラス板梱包用パレットを提供する。【解決手段】複数枚のガラス板を縦姿勢で積層したガラス板積層体Ｇの下面を支持する基台部１と、ガラス板積層体Ｇの背面を支持する背面部２と、ガラス板積層体Ｇの前面を押える前面押え部材３と、ガラス板積層体Ｇの幅方向両端に存する外側面を押える外側面押え部材４とを備えたガラス板梱包用パレットであって、幅方向で複数に分割されたガラス板積層体Ｇを相互に幅方向に間隔を置いて配置するとともに、分割されたガラス板積層体Ｇのそれぞれの内側面の間の隙間に、幅方向の寸法が調整可能な中間押え部材５を介在させた。【選択図】図１
2011140337.tif 000002
【特許請求の範囲】
【請求項１】
複数枚のガラス板を縦姿勢で積層したガラス板積層体の下面を支持する基台部と、該基台部に立設され、前記ガラス板積層体の背面を支持する背面部と、前記ガラス板積層体の前面を押える前面押え部材と、前記ガラス板積層体の幅方向両端に存する外側面を押える外側面押え部材とを備えたガラス板梱包用パレットにおいて、
前記ガラス板積層体が、幅方向で複数に分割されるとともに、相互に幅方向に間隔を置いて配置されており、該分割されたガラス板積層体のそれぞれの内側面の間の隙間に、幅方向の寸法が調整可能な中間押え部材を介在させたことを特徴とするガラス板梱包用パレット。
【請求項２】
前記中間押え部材が、幅方向に間隔を置いて対向し且つ前記ガラス板積層体の内側面に当接される一対の内側面板と、該一対の内側面板を相互に接近動及び離反動させるリンク機構とを備えていることを特徴とする請求項１に記載のガラス板梱包用パレット。
【請求項３】
前記リンク機構が、回転操作部からの力でリンク動作を行うように構成されていることを特徴とする請求項２に記載のガラス板梱包用パレット。
【請求項４】
前記リンク機構は、前記一対の内側面板の間に配置され、前記回転操作部に一体回転可能に保持された軸部と、該軸部に連係動可能に支持されたリンク部材とを備え、前記回転操作部による前記軸部の正逆回転を前記リンク部材の傾動及び起立動に変換して、前記一対の内側面板を相互に接近動及び離反動させることを特徴とする請求項３に記載のガラス板梱包用パレット。
【請求項５】
前記リンク部材の傾動及び起立動が、前記軸部の正逆回転によって、移動体を前記軸部の軸方向に往復動させることによって行われることを特徴とする請求項４に記載のガラス板梱包用パレット。
【請求項６】
前記中間押え部材が、テーパ面を互いに突き合せた複数の楔状部材からなり、これらの楔状部材の楔作用によって、幅方向の寸法が調整可能であることを特徴とする請求項１に記載のガラス板梱包用パレット。
【請求項７】
前記外側面押え部材が、幅方向に位置調整が可能であることを特徴とする請求項１〜６のいずれか１項に記載のガラス板梱包用パレット。
【請求項８】
前記ガラス板が、１辺の長さが１ｍ以上で、板厚が０．５ｍｍ以上３ｍｍ以下のフラットパネルディスプレイ用ガラス基板であることを特徴とする請求項１〜７のいずれか１項に記載のガラス板梱包用パレット。
【発明の詳細な説明】
【技術分野】
【０００１】
本発明は、複数枚のガラス板を縦姿勢で積層したガラス板積層体を梱包するためのガラス板梱包用パレットの改良技術に関する。
【背景技術】
【０００２】
近年では、液晶ディスプレイ、プラズマディスプレイ、有機ＥＬディスプレイなどのフラットパネルディスプレイ（ＦＰＤ）用のガラス基板に代表されるように、各種ガラス板には、更なる大板化と薄肉化が要請されているが、ガラス板の大板化と薄肉化が推進されるに連れて、ガラス板の輸送時の取り扱いが必然的に難しくなる。したがって、当該ガラス板を輸送する際に採用されるガラス板の梱包形態の重要性が、より一層高まっているのが実情である。
【０００３】
そして、このような実情を反映して、この種のガラス板の梱包形態としては、例えば、特許文献１に開示されているように、基台部と、この基台部の後方位置に立設された背面部（背受け部）とを基本的な構成要素として備えた略Ｌ字形状のパレットに、複数枚のガラス板を縦姿勢で積層した状態（以下、ガラス板積層体ともいう。）で梱包する形態が採用される場合が多くなっている。
【０００４】
また、特許文献１には、このように基台部と背面部に支持されたガラス板積層体を、保持部によって前面側から背面側に押圧することで、パレット上に保持することが開示されている。詳細には、保持部は、ガラス板積層体の前面を押える前面押え部材（押し当て部材）の両端部を、背面部からガラス板積層体の両側方を通って前方に延びる支持部材（ガイド部材）で支持する構成とされている。
【先行技術文献】
【特許文献】
【０００５】
【特許文献１】特開２００６−３４７５９２号公報
【発明の概要】
【発明が解決しようとする課題】
【０００６】
ところで、特許文献１に開示の梱包形態では、前面押え部材でガラス板積層体の前面側と背面側に押圧してパレット上に保持しているため、輸送時の振動などによって、ガラス板積層体に含まれるガラス板が、前後方向（積層方向）にズレを来たすという事態は生じ難い。
【０００７】
しかしながら、当該梱包形態では、ガラス板積層体に含まれるガラス板は、前面押え部材によって面方向への移動が直接規制されている訳ではないため、輸送時の振動等によって面方向にズレを来たし易い。そして、ガラス板が、上下方向にズレを来たした場合には、そのズレは自重によって元の状態に修正されるが、幅方向にズレを来たした場合には、そのズレが事後的に修正され難い。そのため、ガラス板積層体に含まれるガラス板に幅方向のズレが一旦生じると、輸送後にパレットからガラス板を取り出す時点においてもその幅方向のズレが残存し易く、ロボット等を用いてガラス板を取り出す際に作業不能になるなどの重大な問題を引き起こす要因となっている。
【０００８】
また、近年では、１つの設備ラインにおいて、様々な大きさのガラス板を取り扱う場合もあり、同種のパレットで大きさの異なるガラス板を梱包することが要請されることが多くなっている。この際、ガラス板積層体に含まれるガラス板の大きさによっては、輸送効率を確保する観点から、パレット上に複数のガラス板積層体を幅方向に並列に配置して梱包する必要が生じるが、この場合には、ガラス板の幅方向のズレを防止することがより一層困難になる。
【０００９】
以上の実情に鑑み、本発明は、複数のガラス板積層体を幅方向に並列に配置して梱包する場合であっても、各ガラス板積層体に含まれるガラス板の幅方向のズレを確実に防止し得るガラス板梱包用パレットを提供することを技術的課題とする。
【課題を解決するための手段】
【００１０】
上記課題を解決するために創案された本発明は、複数枚のガラス板を縦姿勢で積層したガラス板積層体の下面を支持する基台部と、該基台部に立設され且つ前記ガラス板積層体の背面を支持する背面部と、前記ガラス板積層体の前面を押える前面押え部材と、前記ガラス板積層体の幅方向両端に存する外側面を押える外側面押え部材とを備えたガラス板梱包用パレットにおいて、前記ガラス板積層体が、幅方向で複数に分割されるとともに、相互に幅方向に間隔を置いて配置されており、該分割されたガラス板積層体のそれぞれの内側面の間の隙間に、幅方向の寸法が調整可能な中間押え部材を介在させたことに特徴づけられる。
【００１１】
このような構成によれば、複数に分割されたガラス板積層体の幅方向両端に存する外側面が、外側面押え部材によって押えられるとともに、各ガラス板積層体の対向する内側面が、当該内側面間に介在された中間押え部材によって押えられる。そして、中間押え部材は、各ガラス板積層体に含まれるガラス板の大きさに応じて、幅方向の寸法を調整することができるので、外側面押え部材と中間押え部材によって、各ガラス板積層体を幅方向に確実に保持することが可能となる。したがって、各ガラス板積層体に含まれるガラス板の幅方向のズレを確実に防止することができる。
【００１２】
上記の構成において、前記中間押え部材が、間隔を置いて対向し且つ前記ガラス板積層体の内側面に当接される一対の内側面板と、該一対の内側面板を相互に接近動及び離反動させるリンク機構とを備えたものであってもよい。
【００１３】
このようにすれば、リンク機構の操作によって、内側面板の間隔を簡単に調整することができるので、ガラス板積層体の内側面に内側面板を確実に当接させることができる。そのため、ガラス板の幅方向のズレを防止する上でも非常に有利となる。
【００１４】
上記の構成において、前記リンク機構が、回転操作部からの力でリンク動作を行うように構成されていることが好ましい。
【００１５】
このようにすれば、回転操作部を回転操作するだけで、リンク機構のリンク動作が行われるので、一対の内側面板の間隔をより簡単に調整することができる。
【００１６】
この場合、前記リンク機構は、前記一対の内側面板の間に配置され、前記回転操作部に一体回転可能に保持された軸部と、該軸部に連係動可能に支持されたリンク部材とを備え、前記回転操作部による前記軸部の正逆回転を前記リンク部材の傾動及び起立動に変換して、前記一対の内側面板を相互に接近動及び離反動させるように構成されていてもよい。
【００１７】
このようにすれば、回転操作部によって軸部を正転又は逆転させることによって、リンク部材が傾動又は起立動して、一対の内側面板が相互に接近動又は離反動する。すなわち、回転操作部による軸部の回転方向によって、内側面板の接近動と離反動を切り替えることができる。
【００１８】
この場合、前記リンク部材の傾動及び起立動が、前記軸部の正逆回転によって、移動体を前記軸部の軸方向に往復動させることによって行われるように構成されていてもよい。
【００１９】
上記の構成において、前記中間押え部材が、テーパ面を互いに突き合せた複数の楔状部材からなり、これらの楔状部材の楔作用によって、幅方向の寸法が調整可能に構成されたものであってもよい。
【００２０】
このようにすれば、中間押え部材が簡単な構成になるという利点がある。
【００２１】
上記の構成において、前記外側面押え部材が、幅方向に位置調整が可能に構成されていることが好ましい。
【００２２】
このようにすれば、中間押え部材と側面の押え部材との双方が、幅方向で位置調整可能となるので、各ガラス板積層体に含まれるガラス板をより確実に押さえ付けることができる。
【００２３】
上記の構成において、前記ガラス板が、１辺の長さが１ｍ以上で、板厚が０．５ｍｍ以上３ｍｍ以下のフラットパネルディスプレイ用ガラス基板であることが好ましい。
【発明の効果】
【００２４】
以上のように本発明によれば、複数のガラス板積層体を幅方向に並列に配置して梱包する場合であっても、各ガラス板積層体に含まれるガラス板の幅方向のズレを確実に防止することができる。
【図面の簡単な説明】
【００２５】
【図１】本発明の一実施形態に係るガラス板梱包用パレットを示す斜視図である。
【図２】図１のガラス板梱包用パレットの平面図である。
【図３】中間押え部材を示す平面図であって、（ａ）は、中間押え部材の一対の内側面板の間隔が狭い状態を、（ｂ）は、中間押え部材の一対の内側面板の間隔が広い状態をそれぞれ示す。
【図４】図１のガラス板梱包用パレットの支持部材周辺を示す斜視図であって、（ａ）は、支持部材を取り付けた状態を、（ｂ）は、支持部材を取り外した状態をそれぞれ示す。
【図５】中間押え部材の変形例を示す正面図である。
【図６】前面押え部材の変形例を示す平面図である。
【発明を実施するための形態】
【００２６】
以下、本発明の実施形態を添付図面を参照して説明する。
【００２７】
図１に示すように、本発明の一実施形態に係るガラス板梱包用パレットは、基台部１と、この基台部１の後方位置に立設された背面部２とを基本的な構成要素として備えた略Ｌ字形状をなす。
【００２８】
このパレットの上には、複数枚のガラス基板を縦姿勢で積層したガラス板積層体Ｇが、幅方向に並列に２つ配置されている。この際、基台部１は、ガラス板積層体Ｇの下面を下方から支持する役割を果たし、背面部２は、基台部１に下面を支持された状態で後方に傾斜したガラス板積層体Ｇの背面を支持する役割を果たす。なお、各ガラス板積層体Ｇに含まれるガラス板の相互間には、図示しない保護シート（合紙など）を介在させている。また、一方のガラス板積層体Ｇに含まれるガラス板と、他方のガラス板積層体Ｇに含まれるガラス板とが、それぞれ異なる大きさであってもよい。
【００２９】
そして、このようにパレットの上に配置された各ガラス板積層体Ｇが、図１及び図２に示すように、前面押え部材３、側面押え部材４、及び中間押え部材５によって、前方及び左右両側の計３方向から押圧された状態でパレットに保持されている。以下、各構成について詳述する。
【００３０】
前面押え部材３は、この実施形態では、隣接する２つのガラス板積層体Ｇの前面で、上下に間隔を置いて２つ配置されており、各前面押え部材３は、前面押えバー３１と、前面板３２とを主要な構成要素として備えている。なお、前面押え部材３の数は、特に限定されるものではなく、ガラス板積層体Ｇに含まれるガラス板の大きさ等に応じて適宜変更することができる。
【００３１】
前面押えバー３１は、隣接する２つのガラス板積層体Ｇの前面に幅方向に跨った状態で配置されている。前面押えバー３１の両端部は、２つのガラス板積層体Ｇの外側面側に食み出しており、その両食み出し部が、背面部２の両側面から前方側に延在する支持部材６によって下方から支持されている。なお、支持部材６によって支持された前面押えバー３１は、例えば、ラッシングベルト等の締結体によって背面部２に固定される。
【００３２】
前面板３２は、前面押えバー３１に幅方向（長手方向）にスライド可能に設けられたスライド部材３３に、前後方向の位置決め操作部としてのネジ部材３４を介して取り付けられている。そのため、前面板３２は、スライド部材３３のスライド操作によって幅方向に位置調整が可能とされ、ネジ部材３４の回転操作によって前後方向に位置調整が可能とされている。したがって、スライド部材３３とネジ部材３４によって前面板３２の位置調整をすれば、ガラス板積層体Ｇに含まれるガラス板の積層枚数や大きさに関わらず、ガラス板積層体Ｇの前面を確実に押圧することができる。なお、前面板３２は、図２に示すように、緩衝体Ｘ１を介してガラス板積層体Ｇの前面を押圧するようになっている。
【００３３】
外側面押え部材４は、支持部材６の先端部に設けられており、図２に示すように、ガラス板積層体Ｇの幅方向両端に存する外側面に当接する外側面板４１を備えている。この外側面板４１は、支持部材６に、幅方向の位置決め操作部としてのネジ部材４２を介して取り付けられている。そのため、外側面板４１は、ネジ部材４２の回転操作によってガラス板積層体Ｇの幅方向に位置調整が可能とされている。したがって、ネジ部材４２によって外側面板４１の位置調整をすれば、ガラス板積層体Ｇに含まれるガラス板の大きさに関わらず、外側面板４１によってガラス板積層体Ｇの外側面を確実に押圧することができる。なお、外側面板４１は、緩衝体Ｘ２を介して、ガラス板積層体Ｇの外側面を押圧するようになっている。
【００３４】
中間押え部材５は、図１及び図２に示すように、並列に配置された２つのガラス板積層体Ｇの対向する内側面間に配置されている。この中間押え部材５は、図３（ａ），（ｂ）に示すように、対向する一対の内側面板５１と、この内側面板５１の間隔Ｗを調整するリンク機構５２とから構成されている。リンク機構５２は、回転操作部としてのハンドル５３と、このハンドル５３に一体回転可能に連結された軸部５４とを備えている。軸部５４の先端には、軸部５４を回転させたときに、軸部５４の回転に追従せずに空転する第１の移動体５５が外挿されている。また、軸部５４の先端と基端（ハンドル５３側）との間には、軸部５４の外周面に形成された雄ネジに噛み合う雌ネジが内周面に形成された第２の移動体５６が外挿されている。第１の移動体５５と第２の移動体５６は、対向する一対の内側面板５１，５１の間の空間に配置されており、第１の移動体５５と各内側面板５１とは、第１のリンク部材５７で連結されると共に、第２の移動体５６と各内側面板５１とは、第２のリンク部材５８で連結されている。第１のリンク部材５７の一端は、内側面板５１に揺動可能にピン止めされており、第１のリンク部材５７の他端は、第１の移動体５５に揺動可能にピン止めされている。また、第２のリンク部材５８の一端は、内側面板５１に揺動可能にピン止めされており、第２のリンク部材５８の他端は、第２の移動体５６に揺動可能にピン止めされている。
【００３５】
以上のように構成された中間押え部材５は、ハンドル５３の操作によって軸部５４を回転させると、第１の移動体５５は軸部５４の先端で空転しながら軸部５４の先端の定位置で保持され、第２の移動体５６のみが軸部５４の雄ネジに沿って軸部５４の軸方向に移動する。そのため、軸部５４を所定方向に回転（正転）させると、第２の移動体５６が、第１の移動体５５に接近し、軸部５４を反対方向に回転（逆転）させると、第２の移動体５６が、第１の移動体５５から離反する。そして、ハンドル５３の操作によって第２の移動体５６が第１の移動体５５に対して接近する方向に軸部５４を回転させると、図３（ｂ）に示すように、第１の移動体５５と第２の移動体５６との接近に伴って、第１のリンク部材５７と第２のリンク部材５８の軸部５４に対する傾斜角度が徐々に大きくなり、対向する内側面板５１の間隔Ｗが広がる。この際、第１のリンク部材５７の傾斜角度と、第２のリンク部材５８の傾斜角度とは、同じ割合で増減するようになっており、内側面板５１の間隔Ｗをいずれの大きさに変更しても、対向する内側面板５１は平行に保たれるようになっている。したがって、中間押え部材５の内側面板５１の間隔Ｗを上述のように調整すれば、ガラス板積層体Ｇに含まれるガラス板の大きさに関わらず、内側面板５１によってガラス板積層体Ｇの内側面を確実に押圧することができる。なお、内側面板５１は、図２に示すように、緩衝体Ｘ３を介して、ガラス板積層体Ｇの内側面を押圧するようになっている。
【００３６】
よって、各ガラス板積層体Ｇの周囲は、上述のようにして、前面押え部材３、外側面押え部材４および中間押え部材５によって確実に押圧されることから、各ガラス板積層体Ｇに含まれるガラス板の前後方向及び幅方向のズレを確実に防止することができる。
【００３７】
また、支持部材６は、図４（ａ），（ｂ）に示すように、背面部２を構成する前方桟２１と後方桟２２とにそれぞれ係脱自在に取り付けられている。詳細には、同図（ａ）に示すように、支持部材６は、前方桟２１に係合する第１の爪６１と、後方桟２２に係合する第２の爪６２とを備えている。第１の爪６１は、前方桟２１の背面及び内側面に係合するＬ字状をなし、第２の爪６２は、後方桟２２の前面及び内側面に係合するＬ字状をなす。前方桟２１には、第１の爪６１の下降を規制する第１のストッパー２３が取り付けられており、後方桟２２には、第２の爪６２の上昇を規制する第２のストッパー２４が取り付けられている。支持部材６の先端側には、外側面押え部材４などが設けられているため、支持部材６の先端側は基端部側よりも重量が重く、支持部材６の重心は先端側（第１の爪６１よりも先端側）に偏っている。その結果、支持部材６を上述のように前方桟２１と後方桟２２に取り付けた状態で、支持部材６の先端を下方に下げるような回転力が支持部材６に作用する。そのため、この回転力によって、第１の爪６１は下方に付勢されながら第１のストッパー２３に押圧され、第２の爪６２は上方に付勢されながら第２のストッパー２４に押圧される。したがって、支持部材６は、ストッパー２３，２４によって回転力が規制された状態の姿勢のままで、前方桟２１と後方桟２２とに支持されることになる。
【００３８】
一方、上記の回転力とは逆方向、すなわち、支持部材６の先端が上方を向くように支持部材６を回転させれば、第１の爪６１及び前方桟２１の係合状態と、第２の爪６２及び後方桟２２の係合状態がそれぞれ解除され、支持部材６を前方桟２１と後方桟２２から容易に取り外すことができる。そのため、外側面押え部材４を支持部材６と一体的に背面部２から容易に取り外すことができる。
【００３９】
したがって、外側面押え部材４を設けたとしても、外側面押え部材４を支持部材６と一体的に背面部２から取り外しておけば、ガラス板の積込作業や取出作業の作業性の邪魔になることがなく、作業性を良好に維持することができる。
【００４０】
なお、本実施形態は、上記の実施形態に限定されるものではなく、種々の形態で実施することができる。例えば、上記の実施形態では、パレット上に２つのガラス板積層体Ｇを梱包する場合を説明したが、梱包対象となるガラス板の大きさに応じて、パレット上に梱包するガラス板積層体Ｇの数は適宜変更することができる。すなわち、小さいガラス板を積層してガラス板積層体Ｇとする場合には、パレット上に３つ以上のガラス板積層体Ｇを配置するとともに、隣接するガラス板積層体Ｇの対向する内側面間にそれぞれ中間押え部材５を配置して梱包してもよい。このようにすれば、１つのパレットで様々な大きさのガラス板を梱包することができるため、パレットの汎用性を高めることが可能となる。
【００４１】
また、上記の実施形態では、中間押え部材５において、第１の移動体５５及び第２の移動体５６を相互に接近及び離反させる構成として、軸部５４の回転に伴って、第２の移動体５６のみが軸部５４に沿って移動する構成を説明したが、軸部５４の回転に伴って、第１の移動体５５及び第２の移動体５６の双方が軸部５４に沿って移動する構成としてもよい。詳細には、例えば、軸部５４の外周面の先端側と基端側とに、互いに向きの異なる雄ネジ（右ネジと左ネジ）を形成するとともに、一方の雄ネジに噛み合う雌ネジを第１の移動体５５の内周面に形成し、他方の雄ネジに噛み合う雌ネジを第２の移動体５６の内周面に形成すれば、軸部５４の回転に伴って第１の移動体５５と第２の移動体５６の双方を移動させながら相互に接近及び離反させることができる。
【００４２】
また、上記の実施形態では、中間押え部材５として、リンク機構を用いたものを説明したが、中間押え部材５は、例えば、図５に示すように、隣接するガラス板積層体Ｇの対向する内側面間に配置される一対の楔状部材５９から構成してもよい。詳細には、この一対の楔状部材５９は、それぞれ互いに接触する傾斜面５９ａを有し、一方の楔状部材５９の傾斜面５９ａに沿って、他方の楔状部材５９の傾斜面５９ａを相対的にスライドさせることで、両楔状部材５９を組み合わせた状態での幅方向寸法Ｗが調整可能となっている。このようにすれば、リンク機構などの複雑な機構を使用することなく、ガラス板積層体Ｇの対向する内側面を確実に押圧することができる。なお、楔状部材５９は、例えば、３つで構成されていてもよく、この場合には、中央の楔状部材５９を両側の楔状部材５９の間に挿入し、その楔作用で両側の楔状部材５９を幅方向に移動させる構成とするとよい。
【００４３】
また、上記の実施形態では、前面押え部材３として、前面押えバー３１に、幅方向及び前後方向に移動可能な前面板３２を設けた場合を説明したが、前面押え部材３は、例えば、図６に示すように、前面押えバー３１にクッション性のある押圧部材３５，３６を敷設して構成してもよい。この場合、端部側の押圧部材３５の肉厚は、中央部側の押圧部材３６の肉厚よりも薄くすることが好ましい。このようにすれば、前面押えバー３１の両端部を、ラッシングベルトなどの締結体によって背面側に引き込んで固定する際など、前面押えバー３１に撓みが生じる場合でも、撓みが大きくなる前面押えバー３１の端部側に位置する押圧部材３５の肉厚は、撓みが小さくなる前面押えバー３１の中央部側に位置する押圧部材３６の肉厚よりも薄くなっているので、各押圧部材３５，３６でガラス板積層体Ｇの前面を略均一に押圧することが可能となる。
【符号の説明】
【００４４】
１      基台部
２      背面部
２１    前方桟
２２    後方桟
２３    第１のストッパー
２４    第２のストッパー
３      前面押え部材
３１    前面押えバー
３２    前面板
３３    スライド部材
３４    ネジ部材
４      外側面押え部材
４１    外側面板
４２    ネジ部材
５      中間押え部材
５１    内側面板
５２    リンク機構
５３    ハンドル
５４    軸部
５５    第１の移動体
５６    第２の移動体
５７    第１のリンク部材
５８    第２のリンク部材
６      支持部材
６１    第１の爪
６２    第２の爪
【図１】
2011140337.tif 000003
【図２】
2011140337.tif 000004
【図３】
2011140337.tif 000005
【図４】
2011140337.tif 000006
【図５】
2011140337.tif 000007
【図６】
2011140337.tif 000008